(57)【要約】【課題】仏飯器、茶湯器または高杯などの載置棚スペースを備えるとともに、その前には火立、花立または香炉などが置けて安定した据え置きを確保することができる写真立てを提供する。【解決手段】写真を収納する写真枠体、該写真枠体の端部に設けられ、当該写真枠体を支持する土台部および前記写真枠体に支持される載置棚からなる。【選択図】図１
2006297161.tif 000002
【特許請求の範囲】
【請求項１】
土台部を有し、該土台部に支持された写真枠体と、
少なくとも当該写真枠体の前に位置するように写真枠体に固定された載置棚と
からなる写真立て。
【請求項２】
前記写真枠体と土台部とが別体である請求項１記載の写真立て。
【請求項３】
前記写真枠体が傾けられた状態で土台部に受け止められてなる請求項１または２記載の写真立て。
【発明の詳細な説明】
【技術分野】
【０００１】
本発明は写真立てに関する。さらに詳しくは、花瓶などの載置スペースを備えるとともに、安定した据え置きを確保することができる写真立てに関する。
【背景技術】
【０００２】
従来より用いられている写真立ては、四方のフレームに囲まれたガラスの空間内に写真を収納するようにしている。そして、この写真立ては、室内の家具類の上やテーブルの上などに立掛ける場合、そのまま周辺の物に寄り掛けて立てたり、または裏面の回動支持具などを用いている。
【０００３】
しかしながら、従来の写真立ての置き場所が狭い場合には、写真立ての前に飾り膳、花瓶または供物をお供えるスペースを確保することが難しい。また、従来の立掛けでは、振動や衝撃により写真立てが転倒しやすく、最悪の場合にはガラスが破損する惧れがある。
【発明の開示】
【発明が解決しようとする課題】
【０００４】
本発明は、叙上の事情に鑑み、仏飯器、茶湯器または高杯などの載置棚スペースを備えるとともに、その前には火立、花立または香炉などが置けて安定した据え置きを確保することができる写真立てを提供することを目的とする。
【課題を解決するための手段】
【０００５】
本発明の写真立ては、土台部を有し、該土台部に支持された写真枠体と、
少なくとも当該写真枠体の前に位置するように写真枠体に固定された載置棚と
からなることを特徴とする。
【０００６】
なお、本明細書において、写真とは、カメラにより撮影される通常の写真以外に肖像画など故人を偲ぶことができるものを含む概念である。
【発明の効果】
【０００７】
以上説明したおり、本発明によれば、土台部の前方に載置スペースを備える載置棚が固定されているため、写真立ての設置場所に困ることがない。
【０００８】
また、サイドボードなどの上に置き、その天板を使用することにより、周辺をメモリアルスペースとすることができる。
【０００９】
また、写真枠体、土台部および載置棚を一緒に移動できるため、使い勝手がよい。
【００１０】
さらに重錘を設けた土台部により、さらに安定した据え置きを確保することができる。
【発明を実施するための最良の形態】
【００１１】
つぎに、添付図面に基づいて本発明の写真立てを説明する。
【００１２】
図１〜５に示されるように、本発明の実施の形態にかかわる写真立てＡは、写真枠体１、土台部２および載置棚３から構成されている。
【００１３】
前記写真枠体１としては、写真を収納できる形状であれば、とくに限定されるものではないが、平板の上部を開口した四方のフレーム４（４ａ、４ｂ、４ｃ、４ｄ）と、該フレーム４の開口（載置棚３より上側）の内側に装着されるガラス５と、裏蓋６とからなるものを用いることができる。この裏蓋６の抜け落ちを防止する手段は、本発明において、とくに限定されるものではなく、適宜選定することができるが、前記フレームの開口後側の上縁部に形成されるアリ溝などの切欠き部７に差し込まれるＬ字状の抜け止め部材８を用いることができる。このＬ字状の抜け止め部材８による抜け止めは、裏蓋６の背面に沿って伸びる抜け止め部９により行なわれる。または前記フレーム４の開口後側の四辺に設けられた通常の止め具により裏蓋６の抜け落ちを防止することもできる。前記フレーム４の表面は、無地にしてもよいが、とくに開口周辺の一部または全周部などに象嵌１０を埋め込むか、または模様を施すなどして外観の意匠性を高めるようにしてもよい。
【００１４】
前記土台部２は、写真枠体１の下端部に設けられており、当該写真枠体１を所定の角度、たとえば６０〜８５度に支持している。この土台部２は、写真枠体１を傾けて受け止めることができる形状であれば、とくに限定されるものではないが、たとえば矩形や半円形のブロックを採用することができる。この土台部２の上面２ａには、ライターや線香などの小物を載せることができる。なお、土台部２は写真枠体１の後に設置することもできる。
【００１５】
前記載置棚３は、写真枠体１の前に設置されるとともに、該写真枠体１の後方および側方に伸びる、仏飯器、茶湯器または故人の好物などが載置される略Ｕ字状の平板であり、本実施の形態では、前記写真枠体１側の周溝１１に差し込められたのち、接着などにより固着されている。なお、固着に際しては、周溝１１は形成しなくてもよいし、また接着に代えてネジやくぎを用いることもできる。前記載置棚３は、１枚の板で作製してもよいが、写真枠体１と隙間がなく精度よくＵ字状に加工するのは難しいため、本実施の形態では、精度よく加工することができる３枚の載置部材３ａ、３ｂ、３ｂを組み立てて作製するようにしている。組み立てに際しては、とくに限定されるものではないが、各載置部材３ａ、３ｂ、３ｂの合わせ面に加工される溝に細い棒状の板（やといざね）１２ではぎ合わせた「やといさねはぎ」が採用されている。
【００１６】
なお、本実施の形態では、この載置棚３は、板で作製されているが、本発明においては、これに限定されるものではなく、たとえば金属や写真枠体１の外観が見えて、立体感を感じ取れるように透明もしくは半透明なガラスまたは合成樹脂から作製することもできる。また、載置棚３の形状も略Ｕ字状に限定されるものではなく、半円形や矩形など他の形状であってもよい。
【００１７】
本実施の形態では、土台部の前方に載置スペースを備える載置棚が固定されているため、お供え物の置き場所に困らない。このため、好きな場所に持って行けるので、設置場所に困ることがない。また、サイドボードなどの上に置き、その天板を使用することにより、周辺をメモリアルスペースとすることができる。さらに写真枠体、土台部および載置棚を一緒に移動できるため、使い勝手がよい。
【００１８】
なお、前記載置棚３に物が置かれたときに転倒しないように、写真立てに安定感を与えるために、図５に示されるように、前記土台部２の内部に鉛などの重錘１３を収納させるのが好ましい。１４は土台部２に収納した重錘１３を被覆する底蓋である。
【００１９】
また、本実施の形態では、写真枠体１と土台部２を別体に作製しているが、これらを一体構造とすることもできる。
【図面の簡単な説明】
【００２０】
【図１】本発明の実施の形態にかかわる写真立てを示す斜視図である。
【図２】図１の写真立ての正面図である。
【図３】図１の写真立ての背面図である。
【図４】図１の写真立ての側面図である。
【図５】図１の写真立ての縦断面図である。
【符号の説明】
【００２１】
Ａ    写真立て
１    写真枠体
２    土台部
２ａ  上面
３    載置棚
３ａ、３ｂ  載置部材
４、４ａ、４ｂ、４ｃ、４ｄ  フレーム
５    ガラス
６    裏蓋
７    切欠き部
８    抜け止め部材
９    抜け止め部
１０    象嵌
１１    周溝
１２    細い棒（やといざね）
１３    重錘
１４    底蓋
【図１】
2006297161.tif 000003
【図２】
2006297161.tif 000004
【図３】
2006297161.tif 000005
【図４】
2006297161.tif 000006
【図５】
2006297161.tif 000007